(57)【特許請求の範囲】
【請求項１】
電線の外周部を包囲する形状に組み合わされる一対の分割磁性体コアと、
該分割磁性体コアをそれぞれ包持する一対のケース部、及び前記分割磁性体コアが環状に組み合わされるよう前記一対のケース部を閉じ合わせた状態に固定する固定機構からなる保持ケースと、
を備え、電線に外嵌され該電線を流れる雑音電流を吸収する雑音電流吸収具において、
前記一対のケース部には、前記分割磁性体コアを挟んで対向する各一対の端壁に、前記電線を挿通させるための挿通孔を形成する内周縁部に沿って突条を設けると共に、前記一対のケース部の少なくとも一方には、前記ケース部を閉じ合わせた時に前記一対の分割磁性体コアの分割面付近にて、前記一対の分割磁性体コアの双方に当接可能な複数の面一当接部を設け、
前記突条は、その一部を前記分割磁性体コアに向けて押圧すると、前記面一当接部を含む当該突条の形成部位全体を押圧方向に変位させるような剛性を有することを特徴とする雑音電流吸収具。
【請求項２】
前記面一当接部は、前記ケース部の端壁を、前記内周縁部に沿って、且つ前記一対のケース部を閉じ合わせた時に前記分割磁性体コアの分割面が位置する面を超えて延設することで形成されていることを特徴とする請求項１記載の雑音電流吸収具。
【請求項３】
前記ケース部には、前記一対のケース部を閉じ合わせた時に他方のケース部に形成された前記延設部が位置する部分を切り欠いてなる切欠部が形成されていることを特徴とする請求項１又は請求項２記載の雑音電流吸収具。
【請求項４】
前記面一当接部は一方のケース部のみに形成されていることを特徴とする請求項１〜請求項３いずれか記載の雑音電流吸収具。
【発明の詳細な説明】
【０００１】
【発明の属する技術分野】
本発明は、電線に外嵌され電線を流れる雑音電流を吸収する雑音電流吸収具に関する。
【０００２】
【従来の技術】
従来、電線の外周部をフェライトコアで包囲し、このフェライトコアによって電線を流れる雑音電流を吸収する雑音電流吸収具が知られている。
この種の雑音電流吸収具では、既存の配線を取り外すことなく、電線に磁性体コアを外嵌できるようにするため、一対の分割磁性体コアを組み合わせることで構成される環状のフェライトコアと、ヒンジを介して連結され、それぞれが分割磁性体コアを収納する一対のケース部、及び各ケース部に収納された分割片が元の環状に組み合わされるよう一対のケース部を固定するための突起やフックなどからなる固定機構を備えた保持ケースとからなるものが広く用いられている（例えば特開平１１−９７８７５号公報）。
【０００３】
ところで、分割磁性体コアは、焼成時に外形寸法が収縮し、その収縮の割合は、焼成前のフェライト粉末の粒径，水分率，周囲温度，湿度，造型時の圧力，焼成温度等の影響を受けて変化する。従って、同じロットのもの以外は、ほぼ同じ外形寸法に焼成することが困難であることが知られている。このため、通常、その外寸は、保持ケースのケース部の内寸よりもやや小さくなるように作製されている。
【０００４】
しかし、保持ケース内で分割磁性体コアのがたつきがあると、雑音電流の吸収効果が低下するだけでなく、振動などの外部の要因により、分割磁性体コアが破損するおそれもあるため、ケース部には、それを閉じた時に、分割面が密着するように分割磁性体コアを付勢するための付勢機構が設けられている。
【０００５】
【発明が解決しようとする課題】
しかし、このような付勢機構では、分割磁性体コアが、互いに分割面に沿った方向に位置ずれする可能性があり、この場合、図８に示すように、雑音電流の吸収効果を低下させてしまうという問題があった。
【０００６】
なお、図８は、分割磁性体コアの分割面が正しく一致するように位置合わせされた雑音電流吸収具と、説明のための極端なケースとして、分割面での当接面積が１０％減少するように位置合わせされた雑音電流吸収具とを用い、これらの雑音電流吸収具が取り付けられた電線のインピーダンスの周波数特性を測定した結果を示すグラフである。
【０００７】
これに対して、特開平８−１６７５２４号公報には、環状フェライトコアの軸方向両端に位置するケース部の一方の端壁に、他方の端壁へ押し付ける方向に分割磁性体コアを付勢するための付勢機構を設け、この付勢機構により、分割面を位置合わせする技術が開示されている。
【０００８】
しかし、この場合でも、一対のケース部を閉じ合わせた閉鎖状態において、分割磁性体コアが押し付けられる側の端壁が、面一になるように予め形成されていなければ、一対の分割磁性体コアは正しく位置合わせされない場合があるという問題があった。
【０００９】
本発明は、上記問題点を解決するために、磁性体コアの分割面が正しく位置合わせされる雑音電流吸収具を提供することを目的とする。
【００１０】
【課題を解決するための手段】
上記目的を達成するための発明である請求項１記載の雑音電流吸収具は、電線の外周部を包囲する形状に組み合わされる一対の分割磁性体コアと、該分割磁性体コアをそれぞれ包持する一対のケース部、及び前記分割磁性体コアが環状に組み合わされるよう前記一対のケース部を閉じ合わせた状態に固定する固定機構からなる保持ケースとを備え、電線に外嵌され該電線を流れる雑音電流を吸収する雑音電流吸収具において、前記一対のケース部には、前記分割磁性体コアを挟んで対向する各一対の端壁に、前記電線を挿通させるための挿通孔を形成する内周縁部に沿って突条を設けると共に、前記一対のケース部の少なくとも一方には、前記ケース部を閉じ合わせた時に前記一対の分割磁性体コアの分割面付近にて、前記一対の分割磁性体コアの双方に当接可能な複数の面一当接部を設け、前記突条は、その一部を前記分割磁性体コアに向けて押圧すると、前記面一当接部を含む当該突条の形成部位全体を押圧方向に変位させるような剛性を有することを特徴とする。
【００１１】
ここで、「内周縁部に沿って」とは、内周縁部と接していてもよいし、内周縁部から離れていてもよい。
このように構成された本発明の雑音電流吸収具では、分割磁性体コアに巻き付けるようにして電線を配線すると、その配線された電線が、保持ケースの内周縁部に沿って設けられた突条を、磁性体コアの収納空間に向けて押圧する。すると、面一当接部も、分割磁性体コアのある方向に変位する。このとき、一対の分割磁性体コアのいずれか一方が面一当接部側に出っ張っていると、この出っ張った分割磁性体コアを面一当接部が押圧する。この押圧力により、分割磁性体コアの出っ張り、即ち一対の分割磁性体コアにおける分割面での位置ずれが、面一当接面に当接した両磁性体コアの側壁が面一になるように修正される。
【００１２】
このように、本発明の雑音電流吸収具によれば、電線に取り付けられることによって、一対の分割磁性体コアの分割面が正しく位置合わせされるため、良好な雑音電流吸収特性を得ることができる。
ところで、一対の分割磁性体コアが異なった幅寸法を持つ場合、分割面を挟んで両側に設けられた面一当接部は、その双方が同時に両分割磁性体コアの側壁を面一に位置合わせすることはできない。しかし、この場合、面一当接部により位置ずれが修正されることにより、幅寸法が小さい方の分割磁性体コアにおける分割面の全体が、確実に幅寸法の大きい方の分割磁性体コアの分割面に当接することになるため、最大限の雑音電流の吸収効果を得ることができる。
【００１３】
なお、前記面一当接部は、例えば、請求項２記載のように、前記ケース部の端壁を、前記内周縁部に沿って、且つ前記一対のケース部を閉じ合わせた時に前記分割磁性体コアの分割面が位置する面を超えて延設することで形成することができる。
【００１４】
また、前記ケース部には、請求項３記載のように、前記一対のケース部を閉じ合わせた時に他方のケース部に形成された前記延設部が位置する部分を切り欠いてなる切欠部が形成されていてもよい。
そして、前記面一当接部は、分割磁性体コアの分割面の近傍であれば、一対のケース部のうちどちらに形成してもよいが、請求項４記載のように、一方のケース部のみに形成されていることが望ましい。
【００１５】
即ち、磁性体コアに巻き付けるようにして電線を配線する場合の実際の作業では、開いた状態にされた一対のケース部のうち、一方のケース部にのみ電線を巻き付けることが考えられる。このため、一方のケース部にのみ面一当接部を形成し、そのケース部に電線を巻き付けるようにすれば、上述の効果を確実に得ることができる。
【００１６】
【発明の実施の形態】
以下に本発明の実施形態を図面と共に説明する。
図１は、本実施形態の雑音電流吸収具の構成を説明するための参考斜視図、図２は雑音電流吸収具を構成する保持ケースの五面図、図３は図２におけるＡ−Ａ断面図及びＢ−Ｂ断面図である。
【００１７】
図示の如く、本実施形態の雑音電流吸収具２は、円筒状に形成された磁性体コア１０を、軸方向に沿って２分割した形状を有する一対の分割磁性体コア１１，１２と、一対の分割磁性体コア１１，１２をそれぞれ収納する一対のケース部２１，２２からなり、これら分割磁性体コア１１，１２を一体に保持し、且つ環状に組み合わせた状態で固定することが可能な保持ケース２０とからなる。
【００１８】
なお、分割磁性体コア１１は、本来、ケース部２１に収納されているものであるが、図１では、説明するために、これをケース部２１から取り外して分割磁性体コア１２に載置した状態のものを示している。
以下では、分割磁性体コア１１，１２の軸方向両側に位置する壁部を側壁１１ａ，１２ａ、電線を挿通させるための挿通孔を形成する部分を内周壁１１ｂ，１２ｂとよぶ。また、ケース部２１，２２のうち、分割磁性体コア１１，１２の側壁１１ａ，１２ａに沿って対向する各一対の壁部を端壁２１ａ，２２ａ、両端壁２１ａ，２２ａに挟まれた部分を外周壁２１ｂ，２２ｂ、ケース部２１，２２を閉じ合わせた時に、分割磁性体コア１１，１２の内周壁１１ｂ，１２ｂと共に電線挿通孔を形成する部分を内周縁部２１ｃ，２２ｃとよぶ。
【００１９】
そして、分割磁性体コア１１，１２を環状に組み合わせた時に、互いに当接する一対の分割面Ｘ，Ｙのうち、一方の分割面Ｘの近傍には、一対のケース部２１，２２の外周壁２１ｂ，２２ｂ上に、ケース部２１，２２を開閉自在に連結するヒンジ部２３が形成され、他方の分割面Ｙの近傍には、ケース部２１側に設けられた雄側嵌合部２４、及びケース部２２側に設けられた雌側嵌合部２５からなる固定機構が形成されている。
【００２０】
なお、雄側嵌合部２４は、ケース部２１の外周壁２１ｂの接線方向に延設され、先端がＶ字状に折り返された形状を有する突起からなる。一方、雌側嵌合部２５は、ケース部２２の外周壁２２ｂに突設され、雄側嵌合部２４を挿入可能な嵌合孔を形成する枠体からなる。
【００２１】
そして、ケース部２１，２２の外周壁２１ｂ，２２ｂには、ケース部２１，２２を閉じた状態にした時に、ケース部２１，２２に収納された分割磁性体コア１１，１２を、分割面Ｘ，Ｙが密着する方向に付勢する舌片状の付勢機構２９が２個ずつ形成されている。更に、ケース部２１の外周壁２１ｂには、当該雑音電流吸収具２を、筐体や基板等に固定する際に使用する固定部材（図示せず）を取り付けるための取付部３０が形成されている。
【００２２】
また、ケース部２１，２２の端壁２１ａ，２２ａの内壁面には、分割磁性体コア１１，１２の収納空間に向けて突出し、分割磁性体コア１１，１２に形成された凹部１３に係合して分割磁性体コア１１，１２を緩嵌する係合突起３１が形成されている。一方、ケース部２１，２２の端壁２１ａ，２２ａの外壁面には、内周縁部２１ｃ，２２ｃに沿って四角形の断面形状を有する突条２６が形成されている。
【００２３】
更に、ケース部２２の端壁２２ａには、分割面Ｘ，Ｙを挟んで位置する４つの部分のそれぞれに、内周縁部２２ｃに沿って延設された面一当接部２７が形成されている。なお、この面一当接部２７は、ケース部２１，２２を閉じた時に分割面Ｘ，Ｙが位置する面を超えて延設されている。これに対応して、ケース部２１の端壁２１ａには、ケース部２１，２２を閉じた時に、面一当接部２７が位置すべき部分を切り欠いてなる切欠部２８が形成されている。
【００２４】
つまり、面一当接部２７が形成されたケース部２２は、分割面Ｘ，Ｙ付近にて、該ケース部２２に収納される分割磁性体コア１２の側壁１２ａだけでなく、ケース部２１に収納される分割磁性体コア１１の側壁１１ａにも当接するようにされている。
【００２５】
また、面一当接部２７は突条２６の形成部位を含んでおり、突条２６の一部を分割磁性体コア１２に向けて押圧すると、面一当接部２７を含む突条２６の形成部位全体が、その押圧方向に変位する。つまり、突条２６は、このような剛性が得られるように大きさ（幅，高さ）や断面形状が決められている。
【００２６】
なお、これら保持ケース２０を構成するケース部２１，２２、ヒンジ部２３、雄側嵌合部２４、雌側嵌合部２５、突条２６、面一当接部２７、付勢機構２９、取付部３０、係合突起３１は、弾性を有する合成樹脂により一体成形されている。
【００２７】
このように構成された本実施形態の雑音電流吸収具２では、雄側嵌合部２４と雌側嵌合部２５との嵌合を解除して一対のケース部２１，２２を開いた状態にすると、付勢機構２９により付勢された分割磁性体コア１１，１２は、ケース部２１，２２を閉じ合わせた時よりも、ケース部２１，２２から突出した状態で保持される。但し、係合突起３１と凹部１３とが緩嵌しているため、分割磁性体コア１１，１２がケース部２１，２２から脱落することはない。
【００２８】
一方、雄側嵌合部２４を雌側嵌合部２５に嵌合させ、ケース部２１，２２を閉じ合わせると、分割磁性体コア１１，１２は、環状に組み合わされ、しかも、付勢機構２９によって、分割面Ｘ，Ｙが互いに密着する方向に付勢された状態に保持される。
【００２９】
この時、面一当接部２７を備えるケース部２２は、分割面Ｘ，Ｙの近傍にて、分割面Ｘ，Ｙを挟んだ両側から、分割磁性体コア１１，１２の側壁１１ａ，１２ａのいずれにも当接する。
そして、図４に示すように、雑音電流吸収具２を、ケース部２２に電線Ｌを巻き付けるようにして電線Ｌに取り付けると、電線Ｌが巻き付けられたケース部２２の二つの内周縁部２２ｃは、分割磁性体コア１２に密着する方向に変位して、分割磁性体コア１２を両側から挟み込むように押圧する。この時、電線Ｌが面一当接部２７を直接的に圧接していなくても、内周縁部２２ｃに沿って形成された突条２６の剛性により、面一当接部２７も、分割磁性体コア１１，１２が収納されている方向に変位し、両分割磁性体コア１１，１２の側壁１１ａ，１２ａを、分割面Ｘ，Ｙ近傍にて両側から挟み込むように押圧する。
【００３０】
従って、本実施形態の雑音電流吸収具２によれば、面一当接部２７からの押圧力により、分割磁性体コア１１，１２の分割面Ｘ，Ｙに沿った方向の位置ずれが矯正され、分割磁性体コア１１，１２の分割面Ｘ，Ｙが正しく一致した状態となるため、雑音電流の吸収特性を最大限に引き出すことができる。
【００３１】
以上、本発明の一実施形態について説明したが、本発明は上記実施形態に限定されるものではなく、様々な態様にて実施することが可能である。
例えば、上記実施形態では、ケース部２２には面一当接部２７のみを、ケース部２１には切欠部２８のみを形成したが、両ケース部２１，２２に、それぞれ面一当接部２７，切欠部２８の双方を混在させて形成してもよい。
【００３２】
また、上記実施形態では、ケース部２２の端壁２２ａの分割面Ｘ，Ｙ近傍端を部分的に延設することで面一当接部２７が形成されているが、図５及び図６に示す雑音電流吸収具３のように、ケース部２２の端壁２２ａの分割面Ｘ，Ｙ近傍端３７を全体的に長めに形成して、この部分を面一当接部とし、これに対応してケース部２１の端壁２１ａの分割面Ｘ，Ｙ近傍端３８を全体的に短めに形成してもよい。なお、図５は、雑音電流吸収具３（他の実施形態）の構成を示す参考斜視図であり、図６は、その正面図である。そして、図５では、図１の場合と同様に、分割磁性体コア１１をケース部２１から取り外して、これを分割磁性体コア１２上に載置した状態のものを示している。
【００３３】
また、図５，図６に示す雑音電流吸収具３では、端壁２２ａの分割面Ｘ，Ｙ近傍端３７と共に外周壁２２ｂも延設されているが、この外周壁２２ｂの延設部分Ｐを除去した構成としてもよい。
更に、上記実施形態では、図７（ａ）に示すように、突条２６が、端壁２２ａの内周縁部２２ｃに接するよう形成されているが、図７（ｂ）に示すように、内周縁部２２ｃから少し離れた位置に突条２６を形成してもよい。また、突条２６の断面形状は、四角形に限らず、三角形や半円形等であってもよい。
【００３４】
また、上記実施形態では、磁性体コア１０として円筒状のものを用いているが、これに限らず、例えば、中央に円柱形貫通穴を有する平行六面体状のもの等を用いてもよい。
【図面の簡単な説明】
【図１】実施形態の雑音電流吸収具の構成を説明するための参考斜視図である。
【図２】実施形態の雑音電流吸収具を構成する保持ケースの五面図である。
【図３】図２におけるＡ−Ａ断面図、及びＢ−Ｂ断面図である。
【図４】実施形態の雑音電流吸収具の使用状態を示す斜視図である。
【図５】他の実施形態の構成を説明するための参考斜視図である。
【図６】図５に示す他の実施形態の正面図である。
【図７】突条の形成位置のバリエーションを示す説明図である。
【図８】雑音電流吸収具を構成する分割磁性体コアの分割面の位置ずれが、雑音電流吸収具を取り付けた電線のインピーダンスに与える影響を示すグラフである。
【符号の説明】
２，３…雑音電流吸収具、１０…磁性体コア、１１，１２…分割磁性体コア、１１ａ，１２ａ…側壁、１１ｂ，１２ｂ…内周壁、１３…凹部、２０…保持ケース、２１，２２…ケース部、２１ａ，２２ａ…端壁、２１ｂ，２２ｂ…外周壁、２１ｃ，２２ｃ…内周縁部、２３…ヒンジ部、２４…雄側嵌合部、２５…雌側嵌合部、２６…突条、２７…面一当接部、２８…切欠部、２９…付勢機構、３０…取付部、３１…係合突起、Ｌ…電線、Ｘ，Ｙ…分割面。
【図１】
0003626945.tif 000002
【図２】
0003626945.tif 000003
【図３】
0003626945.tif 000004
【図４】
0003626945.tif 000005
【図５】
0003626945.tif 000006
【図６】
0003626945.tif 000007
【図７】
0003626945.tif 000008
【図８】
0003626945.tif 000009